(57)【特許請求の範囲】
【請求項１】
スノーボードにブーツを固定するために使用され、前記ブーツの背面を支承すべく、ベースプレートに支持されたヒールカップに支えられるハイバックを備えたスノーボード用のビンディングにおいて、
前記ハイバックを、前記ヒールカップ側に連結されて、両側から上方に突出する包み込み部を有する硬質な基部と、この基部の上端に一体化されて全体が軟質で、かつ前記両包み込み部間に入る延出部を有する保護部とにより構成するとともに、
この保護部の前記延出部を前記両包み込み部間に入れることによって前記ハイバックの上部内側に大きく延出させるとともに、前記保護部の前記延出部以外の部分を前記両包み込み部から露出させたことを特徴とするビンディング。
【請求項２】
スノーボードにブーツを固定するために使用され、前記ブーツの背面を支承すべく、ベースプレートに支持されたヒールカップに支えられるハイバックを備えたスノーボード用のビンディングにおいて、
前記ハイバックを、前記ヒールカップ側に連結される硬質な基部と、この基部の上端に取り付けた軟質な保護部とにより構成し、
前記基部の上端に嵌合突起を一体的に形成するとともに、前記保護部の下端部に嵌合凹所を形成して、この嵌合凹所内に前記嵌合突起を嵌合することにより、前記保護部の基部に対する一体化を行ったことを特徴とするビンディング。
【請求項３】
スノーボードにブーツを固定するために使用され、前記ブーツの背面を支承すべく、ベースプレートに支持されたヒールカップに支えられるハイバックを備えたスノーボード用のビンディングにおいて、
前記ハイバックを、前記ヒールカップ側に連結される硬質な基部と、この基部の上端に取付けた軟質な保護部とにより構成するとともに、前記基部の上端に嵌合突起を一体的に形成し、かつ、前記保護部の下端部に嵌合凹所を形成して、
この嵌合凹所内に前記嵌合突起を嵌合することにより、前記保護部の基部に対する一体化を行うとともに、前記嵌合突起に、上端が開口する上下方向のスリットを複数形成したことを特徴とするビンディング。
【発明の詳細な説明】
【０００１】
【産業上の利用分野】
本発明は、スノーボード用のビンディングに関し、特にブーツの背面を支承することになるハイバックを有したビンディングに関するものである。
【０００２】
【従来の技術】
スノーボードには、使用者のブーツをビンディングを介して取付けるものであり、このビンディングには、図１にも示すように、ハイバックが取付られるようになっている。このハイバックは、ブーツの背面が支承されることになるもので、逆に言えば、足の力をスノーボード側に確実に伝えるようにするものである。例えば、山側に体を向けて滑行していくときに、スノーボードの後側のエッジをきかせる必要があるが、そのときに、このハイバックをブーツの背面で押圧するようにするのである。
【０００３】
このように、使用しているときのビンディングにあっては、このハイバックは重要な働きをするものではあるが、例えばリフト待ちや、リフトに乗ったとき等、ビンディングの片方を外したときには、図７にも示したように、このハイバックは、スノーボードの上面に大きく立った状態となるものである。従来のハイバックは、図７にも示したように、力を受けてこれをスノーボード側に確実に伝えるため、その先端まで硬質で剛性のある材料によって一体的に形成したものとなっている。
【０００４】
片方のビンディングを外して、スノーボードをもう片方の足に取けたままリフトに乗り、その状態で山頂に降りたとき、あるいは、片方の足をビンディングに固定したまま、もう一方の足で雪を蹴ってスノーボードによるスケーティングを行う場合、バランスがうまくとれなくて転ぶことがある。そのとき、本来なら倒しておかなければならないハイバックが、これを忘れて立てたままの状態になっていたとすると、このハイバックの先端に尻もちをついてしまうことがあり得る。このハイバックは、図７にも示したように尖っていて、しかも硬質な材料によって形成してあるから、尻もちをついたときに傷をすることもある。
【０００５】
そこで、本発明者等は、仮りに倒しておくのを忘れて立ったままとしておいても、安全性の高いハイバックとするにはどうしたらよいかについて種々検討を重ねてきた結果、本発明を完成したのである。
【０００６】
【発明が解決しようとする課題】
本発明は、ビンディングにおけるハイバックの上述した実状に鑑みてなされたもので、その解決しようとする課題は、立ったままにしておいても、ハイバックの安全性を高めることである。
【０００７】
すなわち、まず請求項１に係る発明の目的とするところは、足の力をスノーボード側に確実に伝えるという本来の機能を全く損なわないで、ヒールカップに対する連結や、これによる支承を確実に行うことができ、仮りにその上端に尻もちをついたとしても傷をすることのないようにすることのできるハイバックを備えたビンディングを提供することにある。
【０００８】
また、請求項２に係る発明の目的とするところは、上記請求項１と同様な目的を達成できる他、製造を容易に行えるだけでなく、使用者の好みに合ったデザインに簡単に変更することのできるハイバックを備えたビンディングを提供することにある。
【０００９】
さらに、請求項３に係る発明の目的とするところは、請求項２と同様な目的を達成できる他、ハイバックの先端部の軟質化をより向上させることができるとともに、上端に位置することになる保護部の一体化を確実に行うことのできるハイバックを備えたビンディングを提供することにある。
【００１０】
【課題を解決するための手段】
以上の課題を解決するために、まず請求項１に係る発明の採った手段は、後述する実施の形態の説明中において使用する符号を付して説明すると、
「スノーボード３０にブーツ２０を固定するために使用され、ブーツ２０の背面を支承すべく、ベースプレート１１に支持されたヒールカップ１２に支えられるハイバック１３を備えたスノーボード３０用のビンディング１０において、
ハイバック１３を、ヒールカップ１２側に連結されて、両側から上方に突出する包み込み部１５を有する硬質な基部１３Ａと、この基部１３Ａの上端に一体化されて全体が軟質で、かつ両包み込み部１５間に入る延出部１４を有する保護部１３Ｂとにより構成するとともに、
この保護部１３Ｂの延出部１４を両包み込み部１５間に入れることによってハイバック１３の上部内側に大きく延出させるとともに、保護部１３Ｂの延出部１４以外の部分を両包み込み部１５から露出させたことを特徴とするスノーボード３０用のビンディング１０」
である。
【００１１】
すなわち、この請求項１に係るビンディング１０では、そのハイバック１３を、図２に示すように、ヒールカップ１２を介してベースプレート１１側に連結される基部１３Ａと、この基部１３Ａの上端に一体化される保護部１３Ｂとにより構成するとともに、基部１３Ａを硬質な例えば合成樹脂により形成し、保護部１３Ｂを合成ゴム等の軟質な合成樹脂によって形成するとともに、保護部１３Ｂをハイバック１３の上部内側に大きく延出させたものである。そして、このビンディング１０では、そのハイバック１３を、図３に示すように、ヒールカップ１２側に連結されて、両側から上方に突出する包み込み部１５を有する硬質な基部１３Ａと、この基部１３Ａの上端に一体化されて全体が軟質で、かつ両包み込み部１５間に入る延出部１４を有する保護部１３Ｂとにより構成し、この保護部１３Ｂの延出部１４を両包み込み部１５間に入れることによってハイバック１３の上部内側に大きく延出させるとともに、保護部１３Ｂの延出部１４以外の部分を両包み込み部１５から露出させたものである。
【００１２】
以上のようにした結果、このビンディング１０を構成しているハイバック１３の上部を合成ゴム等の軟質な材料によって形成したことから、このハイバック１３が図３に示すような立ったままであって、その上に尻もちをついたとしても、軟質材料によって形成した保護部１３Ｂの上部（延出部１４以外の部分）が前後は勿論左右にも弾性変形するため、お尻が柔らかく受け止められることになる。
【００１３】
また、後述する実施形態のハイバック１３では、図３にも示すように、この柔かい保護部１３Ｂの延出部１４が、ハイバック１３の上部内側、すなわちハイバック１３の両包み込み部１５内に大きく延出したものとしてあるため、ブーツ２０の背面を柔らかく受け止め、従来のような全体が硬質の材料によって形成されたハイバックに比較すれば、力を掛けたときの違和感がないものとなっている。
【００１４】
勿論、このハイバック１３は、その基部１３Ａを硬質な材料によって形成してあるため、ヒールカップ１２に対する支持軸１２ａによる連結や、ヒールカップ１２による支承を確実に行えるのであり、ハイバック１３としての本来の機能を損なうものとはなっていないのである。
【００１５】
従って、この請求項１のビンディング１０によれば、そのハイバック１３が本来の機能を十分発揮することができるものとなっているだけでなく、このハイバック１３の上部が柔らかくなっているため、ブーツ２０の背面を柔らかく受け止めて、使用時における違和感がないものとなっていて、さらに不用意な使用をしても、例えばお尻が柔らかく受け止められて安全性が確保されたものとなっているのである。
【００１６】
上記課題を解消するために、請求項２に係る発明の採った手段は、
「スノーボード３０にブーツ２０を固定するために使用され、ブーツ２０の背面を支承すべく、ベースプレート１１に支持されたヒールカップ１２に支えられるハイバック１３を備えたスノーボード３０用のビンディング１０において、
ハイバック１３を、ヒールカップ１２側に連結される硬質な基部１３Ａと、この基部１３Ａの上端に取付けた軟質な保護部１３Ｂとにより構成し、
基部１３Ａの上端に嵌合突起１３ａを一体的に形成するとともに、保護部１３Ｂの下端部に嵌合凹所１３ｂを形成して、この嵌合凹所１３ｂ内に嵌合突起１３ａを嵌合することにより、保護部１３Ｂの基部１３Ａに対する一体化を行ったことを特徴とするスノーボード３０用のビンディング１０」
である。
【００１７】
すなわち、この請求項２に係るビンディング１０は、スノーボード３０にブーツ２０を固定するために使用され、ブーツ２０の背面を支承すべく、ベースプレート１１に支持されたヒールカップ１２に支えられるハイバック１３を備えたものであるが、そのハイバック１３の基部１３Ａの上端に嵌合突起１３ａを形成しておき、この嵌合突起１３ａに、保護部１３Ｂに形成した嵌合凹所１３ｂを嵌合するようにしたものである。
【００１８】
つまり、この種のビンディング１０は、上記請求項１のそれのように、基部１３Ａの上端部に保護部１３Ｂをモールド化するように形成することも考えられるのであるが、この請求項２のビンディング１０では、そのハイバック１３を、図４及び図５に示すように、基部１３Ａと保護部１３Ｂとを互いに嵌合し得る形状のものとして別に形成しておき、後に両者を簡単に一体化できるようにしたものである。なお、一体化を行う際に、基部１３Ａ側の嵌合突起１３ａに接着剤を塗布しておくと、両者の一体化はより強固に行える。
【００１９】
また、以上のように、基部１３Ａと保護部１３Ｂとを別体のものとしておくとともに、両者の嵌合突起１３ａと嵌合凹所１３ｂとの嵌合で一体化できるのであれば、デザインや色を変えた保護部１３Ｂを用意しておき、使用者の好みに合わせたハイバック１３とすることが簡単になる。つまり、保護部１３Ｂとして種々な色やデザインのものを用意しておいて、当該ビンディング１０を販売する際に、好みに合った保護部１３Ｂを使用者に選択してもらい、この保護部１３Ｂをその場で基部１３Ａに一体化することもできるのである。このことは、ビンディング１０やスノーボード３０等の販売促進にもつながることとなる。
【００２０】
従って、この請求項２のビンディング１０は、そのハイバック１３が本来の機能を十分発揮することができるものとなっているだけでなく、このハイバック１３の上部が柔らかくなっているため、ブーツ２０の背面を柔らかく受け止めて、使用時における違和感がないものとなっていて、さらに不用意な使用をしても、例えばお尻が柔らかく受け止められて安全性が確保されたものとなっているだけでなく、そのハイバック１３の製造を簡単に行えるだけでなく、使用者の好みに応じたハイバック１３とすることができるのである。
【００２１】
そして、上記課題を解決するために、請求項３に係る発明の採った手段は、
「スノーボード３０にブーツ２０を固定するために使用され、ブーツ２０の背面を支承すべく、ベースプレート１１に支持されたヒールカップ１２に支えられるハイバック１３を備えたスノーボード３０用のビンディング１０において、
ハイバック１３を、ヒールカップ１２側に連結される硬質な基部１３Ａと、この基部１３Ａの上端に取付けた軟質な保護部１３Ｂとにより構成するとともに、基部１３Ａの上端に嵌合突起１３ａを一体的に形成し、かつ、保護部１３Ｂの下端部に嵌合凹所１３ｂを形成して、
この嵌合凹所１３ｂ内に嵌合突起１３ａを嵌合することにより、保護部１３Ｂの基部１３Ａに対する一体化を行うとともに、嵌合突起１３ａに、上端が開口する上下方向のスリット１３ｃを複数形成したことを特徴とするビンディング１０」
である。
【００２２】
すなわち、この請求項３のビンディング１０は、そのハイバック１３を構成している基部１３Ａに、図４及び図５に示すように、複数のスリット１３ｃを形成したものである。
【００２３】
基部１３Ａは硬質な材料によって形成したものであるから、その嵌合突起１３ａも硬質なものとなっているが、これに、上方に開口する縦方向の複数のスリット１３ｃを形成することにより、嵌合突起１３ａの上端部は他の部分に比して可撓性を有したものとなっている。つまり、基部１３Ａの上端部が柔らかくなっているのである。
【００２４】
また、この基部１３Ａに接着剤を使用して保護部１３Ｂを一体化する場合に、この接着剤が各スリット１３ｃを通して嵌合突起１３ａの表裏に十分行きわたるため、基部１３Ａと保護部１３Ｂとの一体化はより一層確実に行える。
【００２５】
従って、この請求項３のビンディング１０は、請求項２のそれと同様な機能を発揮する他、ハイバック１３の先端部の軟質化がより向上しているのであり、また基部１３Ａと保護部１３Ｂとの接着剤による一体化をより確実に行えるものとなっているのである。
【００２６】
【発明の実施の形態】
次に、以上のように構成した各発明を、図面に示した実施の形態であるビンディング１０について説明する。
【００２７】
さて、図１には、本発明に係るビンディング１０を使用して、ブーツ２０をスノーボード３０に取付た状態が示してあるが、このビンディング１０は、具体的には、図２及び図３に示したような構成部材からなっている。すなわち、このビンディング１０は、スノーボード３０上に固定されるベースプレート１１と、このベースプレート１１に前後の位置調整可能に連結される平面形状が略Ｕ字状のヒールカップ１２と、このヒールカップ１２のＵ字の底に該当する部分に支承されるハイバック１３とからなっている。
【００２８】
ハイバック１３は、図２及び図３に示したように、２本の支持軸１２ａによってヒールカップ１２に傾動可能に支承されるものであり、ブーツ２０を外してリフトに乗る場合のように、当該ビンディング１０を使用しない場合には、ヒールカップ１２の前方に倒しておかれるものである。
【００２９】
ところが、このハイバック１３の倒しは忘れられることがあり、そのような場合の安全性を確保するために、このハイバック１３は、図２〜図５に示したように、ヒールカップ１２側に連結されるべく、硬質な材料によって形成した基部１３Ａと、この基部１３Ａの上端に一体化される軟質材料によって形成した保護部１３Ｂとにより構成してある。
【００３０】
本実施形態では、基部１３Ａは、ポリウレタン、ナイロン等を材料として一体成形したものであり、この基部１３Ａの上端部は、他よりも少し薄く形成した嵌合突起１３ａとしてある。この嵌合突起１３ａには、図４及び図５に示したように、上方に開口する縦方向のスリット１３ｃが形成してあり、このスリット１３ｃによって、この嵌合突起１３ａのみ他より柔らかくなるようにしてある。
【００３１】
一方、保護部１３Ｂは、例えば、ポリウレタン、ゴム、あるいは熱可塑性エラストマー等を材料として、基部１３Ａとは別に成形したものであり、図２及び図３に示したように、保護部１３Ｂをハイバック１３の上部内側に大きく延出させてある。また、この保護部１３Ｂには、図２に示した通り、上記した基部１３Ａ側の嵌合突起１３ａが嵌合されることになる嵌合凹所１３ｂが形成してある。さらに、この保護部１３Ｂには、基部１３Ａとは異なる色が付けてある。
【００３２】
この保護部１３Ｂの嵌合凹所１３ｂを、基部１３Ａ側の嵌合突起１３ａよりも少し小さめに形成しておいて、この保護部１３Ｂを嵌合突起１３ａに強制嵌合したり、あるいは基部１３Ａの嵌合突起１３ａに保護部１３Ｂをモールドしたりすることもあるが、他の色やデザインの保護部１３Ｂに簡単に変えられるようにするには、強制嵌合による一体化を行えばよい。
【００３３】
【発明の効果】
以上、詳述した通り、まず、請求項１の発明においては、上記実施状態にて例示した如く、
「スノーボード３０にブーツ２０を固定するために使用され、ブーツ２０の背面を支承すべく、ベースプレート１１に支持されたヒールカップ１２に支えられるハイバック１３を備えたスノーボード３０用のビンディング１０において、
ハイバック１３を、ヒールカップ１２側に連結されて、両側から上方に突出する包み込み部１５を有する硬質な基部１３Ａと、この基部１３Ａの上端に一体化されて全体が軟質で、かつ両包み込み部１５間に入る延出部１４を有する保護部１３Ｂとにより構成するとともに、
この保護部１３Ｂの延出部１４を両包み込み部１５間に入れることによってハイバック１３の上部内側に大きく延出させるとともに、保護部１３Ｂの延出部１４以外の部分を両包み込み部１５から露出させたこと」
にその構成上の特徴があり、これにより、足の力をスノーボード３０側に確実に伝えるという本来の機能を全く損なわないで、ヒールカップに対する連結や、これによる支承を確実に行うことができ、仮りにその上端に尻もちをついたとしても傷をすることのないようにすることのできるハイバック１３を備えたビンディング１０を提供することができるのである。
【００３４】
また、請求項２のビンディング１０によれば、足の力をスノーボード３０側に確実に伝えるという本来の機能を全く損なわないで、ヒールカップに対する連結や、これによる支承を確実に行うことができ、仮りにその上端に尻もちをついたとしても傷をすることのないようにすることができるのであり、そのハイバック１３を構成している基部１３Ａに嵌合突起１３ａを、また保護部１３Ｂに嵌合凹所１３ｂを形成したので、製造を容易に行うことができて、使用者の好みに合った色やデザインの保護部１３Ｂを使用することができるのである。
【００３５】
さらに、請求項３のビンディング１０によれば、足の力をスノーボード３０側に確実に伝えるという本来の機能を全く損なわないで、ヒールカップに対する連結や、これによる支承を確実に行うことができ、仮りにその上端に尻もちをついたとしても傷をすることのないようにすることができて、ハイバック１３の上端部の柔質化をより一層向上させることができて、安全性を高くすることができるのである。
【図面の簡単な説明】
【図１】本発明に係るビンディングを使用してブーツをスノーボードに取付けた状態の傾斜図である。
【図２】同ビンディングの拡大縦断面図である。
【図３】同ビンディングの傾斜図である。
【図４】同ビンディングを構成しているハイバックの分解正面図である。
【図５】同ビンディングを構成しているハイバックの分解背面図である。
【図６】従来のハイバックの断面図である。
【符号の説明】
１０    ビンディング
１１    ベースプレート
１２    ヒールカップ
１２ａ  支持軸
１３    ハイバック
１３Ａ  基部
１３Ｂ  保護部
１３ａ  嵌合突起
１３ｂ  嵌合凹所
１３ｃ  スリット
１４    延出部
１５    包み込み部
２０    ブーツ
３０    スノーボード
【図１】
0003968453.tif 000002
【図２】
0003968453.tif 000003
【図３】
0003968453.tif 000004
【図４】
0003968453.tif 000005
【図５】
0003968453.tif 000006
【図６】
0003968453.tif 000007